(57)【要約】両面画像形成直接熱記録材料は、不透明基材と、基材の対向面上での異なる色の直接熱印刷用の感熱コーティングとを含む。表面の直接熱印刷が１つの色であり、裏面の直接熱印刷が異なる色である紙の取引レシートなどの記録材料が開示される。【特許請求の範囲】
【請求項１】
２面直接熱印刷用の感熱記録材料であって、基材の対向面に感熱コーティングを有する不透明基材を含み、コーティングは加熱時に互いに異なる色に変化し、それにより前記基材の一方の面での直接熱印刷の色が、前記基材の他方の面での直接熱印刷と異なる色になる感熱記録材料。
【請求項２】
前記基材が、前記コーティングの一方に加えられた熱が前記コーティングの他方を変色させないように、十分な耐熱性を有する、請求項１に記載の感熱材料。
【請求項３】
前記基材が、前記基材の前記対向面上の前記コーティングの下に配置されたプライマー材を有する、請求項１に記載の感熱記録材料。
【請求項４】
前記コーティングのそれぞれが、前記プライマー材と保護用のトップ・コーティング材料との間に配置される、請求項１に記載の感熱記録材料。
【請求項５】
２面直接熱印刷用の感熱記録材料であって、基材の１つの面上の第１の感熱層と、前記基材の前記１つの面に対向する前記基材の面上の第２の感熱層とを有する不透明基材を含み、前記第１および第２の感熱層が、加熱時に互いに異なる色に変化して、前記色の１つが前記面のうちの前記１つ上の熱印刷を表すことを可能にし、前記色の他方が前記基材の前記面のうちの他方上の熱印刷を表すことを可能にする感熱記録材料。
【請求項６】
２面直接熱印刷用の記録材料であって、基材の第１の面上の第１の感熱コーティングを有し、前記第１の面に対向する前記基材の第２の面上の第２の感熱コーティングを有する不透明基材を含み、前記第１のコーティングは加熱時に第１の色に変化し、前記第２のコーティングは加熱時に前記第１の色とは異なる第２の色に変化し、それにより前記基材の前記第１の面上の直接熱印刷の色が、前記基材の前記第２の面上の直接熱印刷とは異なる色になる記録材料。
【請求項７】
２面直接熱印刷によって印刷された不透明基材を含む文書であって、前記文書の表面上の直接熱印刷が１つの色であり、前記文書の裏面上の直接熱印刷が前記１つの色とは異なる第２の色であり、それにより直接熱印刷の色が印刷される前記文書の面を指定する文書。
【請求項８】
紙の取引レシートの形である、請求項７に記載の文書。
【請求項９】
２面２色の直接熱印刷用の記録材料であって、不透明基材と、前記基材の１つの面上での１色のみの直接熱印刷用の感熱コーティングと、前記基材の対向する面上での異なる色のみの直接熱印刷用の感熱コーティングとを含む記録材料。
【発明の詳細な説明】
【技術分野】
【０００１】
本発明は、両面２色熱印刷に関する。
【背景技術】
【０００２】
取引文書またはレシートの２重または両面直接熱印刷については、米国特許第６，７８４，９０６号公報および第６，７５９，３６６号公報に記載されている。プリンタは、プリンタを通るフィード・パスに沿って移動する熱媒体の両面に印刷することが可能なように構成される。こうしたプリンタでは、ダイレクト・サーマル・プリント・ヘッドが、媒体フィード・パスの両側に配置される。サーマル・プリント・ヘッドは、プリント・ヘッドからのフィード・パスを横切る対向プラテンと向かい合う。
【０００３】
直接熱印刷では、プリント・ヘッドは、紙、または感熱コーティングが施された基材を含む他のシート媒体に選択的に熱を加える。コーティングは、熱が加えられると変色し、これによりコーティングされた基材に「印刷」が提供される。両面直接熱印刷の場合、シート媒体基材は、両面をコーティングすることができる。
【０００４】
２重または両面直接熱印刷について、材料を節約するため、および顧客に情報を提供する際の柔軟性を与えるために、紙のレシートの両面に可変情報を提供することに関して説明してきた。印刷は、電子的に、または両面印刷を指示するコンピュータ・アプリケーション・プログラムを使用するコンピュータによって、実行することができる。両面ダイレクト・サーマル・プリンタは、レシートまたは他の文書を印刷するためのシンプレックス・モード・プログラムと共に使用するように構成することもできる。
【特許文献１】米国特許第６，７８４，９０６号公報
【特許文献２】米国特許第６，７５９，３６６号公報
【発明の開示】
【発明が解決しようとする課題】
【０００５】
印刷媒体の片面上に異なる色で直接熱印刷を実施するために、２種類以上の染料を使用する感熱コーティングを提供することが知られている。しかし、印刷されている媒体の特定面への注意を喚起するために、媒体の両面に異なる色で直接熱印刷することが有用な場合がある。
【課題を解決するための手段】
【０００６】
両面直接熱印刷用の感熱記録材料について説明する。この材料は、基材の対向面に感熱コーティングを有する紙などの不透明基材を含む。コーティングは、加熱時に互いに異なる色に変化するため、基材の対向面の直接熱印刷は異なる色になる。この材料は、表面への直接熱印刷がすべて１つの色であり、裏面への直接熱印刷がすべて異なる色である取引レシートなどの紙の文書の形とすることができる。文書の片面への直接印刷の色は、印刷する面を指定することができる。
【発明を実施するための最良の形態】
【０００７】
例を挙げると、本明細書では、本発明の様々な実施形態について、含まれる図面を参照しながら説明する。変形も適合可能である。
【０００８】
図１は、発行時に取引レシートまたはチケットの両面シングルパス印刷に使用可能な両面画像形成ダイレクト・サーマル・プリンタ１０を示す概略図である。プリンタ１０は、米国特許第６，７８４，９０６号公報（特許文献１）および第６，７５９，３６６号公報（特許文献２）に記載されているような、感熱性染料で各面がコーティングされた不透明基材、好ましくはセルロース系またはポリマー基材シートを含む両面感熱紙である印刷媒体２０上で動作する。各面で異なる色の染料を使用することにより、レシートの両面で２面直接熱印刷を行うための２色印刷機能が提供される。基材および直接熱印刷媒体に対する感熱変色コーティングは、通常、当業者であれば周知のものである。両面直接熱印刷は、媒体２０の対向面に異なる色の染料を含む媒体２０と、媒体２０の片面の直接熱印刷が媒体２０の対向面の着色に影響しないように十分な耐熱性のある基材とによって容易に行うことができる。
【０００９】
熱印刷媒体２０は、グラフィックスまたはテキストあるいはその両方などの印刷が媒体２０の両面に印刷可能な、例えば、バウチャー、クーポン、レシート、チケット、あるいは他の記事または文書などを提供するためのロール紙またはシートの形で供給することができる。
【００１０】
図１に示されるように、プリンタ１０は、印刷される熱媒体２０の対向面に、回転プラテン３０および４０と、対向するサーマル・プリント・ヘッド５０および６０とを有する。媒体２０の両面直接熱印刷は、取引時に、あるいはレシートまたはチケットの発行時に、シングルパスで実行される。媒体２０は、通常、印刷完了時に、個々のレシートまたはチケット文書を提供するために切断または切り離すことができる。
【００１１】
図２Ａは、レシート８０の表面に印刷された発行者識別、時間、日付、ライン・アイテム・エントリ、および取引合計金額などの取引の詳細７０を示す。図２Ｂは、例えば、レシート８０の裏面に印刷された、取引時に確認された受領者識別または取引の詳細に基づく顧客情報９０を示す。例えば、顧客情報９０は、別のまたは複製の取引情報、図に示されたようなクーポン、割り戻しまたはコンテスト情報、連載漫画、販売条件、文書画像、広告、セキュリティ機能、チケット情報、あるいは例えば受領者識別または取引のデータまたは詳細に基づく顧客情報などの他の情報を含むことができる。
【００１２】
両面画像形成ダイレクト・サーマル・プリンタ１０は、媒体フィード・パス２５の対向面上のプリント・ヘッド５０および６０によって、プリンタ１０を通るフィード・パス２５に沿って移動するレシートまたは他のシート媒体２０の両面に印刷することが可能なように構成される。プリント・ヘッド５０および６０は、好ましくは図に示されるように、関連する対向プラテン３０および４０を有する。
【００１３】
印刷されるデータ・ブロックの一部、例えば半分を、媒体２０の片面に直接熱印刷によって印刷し、データの他の部分、例えば半分を、媒体２０の裏面に直接熱印刷によって印刷するか、またはデータのそれぞれの部分が印刷される媒体の面を逆にすることができる。このように、取引レシートを生成することができ、関連する取引データの一部がレシートの片面に印刷され、取引データの残りの部分がレシートの他方の面に印刷されるため、レシートを印刷するために必要な媒体２０の量が節約される。さらに、両面直接熱印刷機能は、媒体２０のある面に印刷されるデータの部分または量、あるいはデータ・ブロックを決定するために使用することもできる。データの様々なブロックを印刷のために択一的に選択することができる。
【００１４】
図３Ａは、レシート１００の表面１１０に関連する取引の詳細の一部が印刷された２面レシート１００を示す。図３Ｂは、レシート１００の裏面１２０に印刷された関連する取引データの残りの部分を示す、図３Ａに示されたレシート１００の裏面１２０を示す。レシート１００の２面性、または表示されているレシート１００のそれぞれの面を示すために、「表面」、「裏面」、「面１」、「面２」などの証印を、図に示されるように、レシート１００の２つの面に含めることができる。レシートまたは取引番号、端末番号、店舗識別子、日付、時刻などの識別証印は、２つの面の複写された画像の関連付けを可能にするために、レシートの両面に印刷することができる。
【００１５】
事前印刷データ格納機構を有する両面画像形成ダイレクト・サーマル・プリンタ１０は、媒体２０の一方の面にそれぞれ印刷され、例えば、媒体の他方の面にアプリケーション・ソフトウェアによって提出されたデータが印刷される１つまたは複数のデータ・ブロックを格納することができる。複数のデータ・ブロックがプリンタ・ストレージに格納された場合、媒体印刷面選択が可能なように、ブロックを印刷のために択一的に選択することができる。
【００１６】
媒体２０は、材料の対向面に異なる色で、２面２色の直接熱印刷を行うための感熱記録材料である。媒体２０は、基材の対向面上に感熱コーティングを有する不透明基材を含む。コーティングは、加熱された場合に互いに異なる色に変化するため、基材の一方の面での直接熱印刷の色が、基材の他方の面での直接熱印刷の色とは異なる結果となる。好ましくは、媒体２０の一方の面に加えられた熱が、媒体２０の反対の面を変色させないように、基材は十分な耐熱性を有する。
【００１７】
媒体２０は、コーティングを固着させるために不透明基材の対向面上の感熱コーティングの下に配置されたプライマー材を使用することができる。プライマー材は、基材が不透明でない場合、不透明にすることができる。コーティングは、プライマー材と保護用のトップ・コーティング材料との間に配置することができる。
【００１８】
基材の表面に第１の感熱コーティング、および基材の裏面に第２の感熱コーティングを備える両面２色の直接熱画像形成材料を媒体２０に使用することによって、第１のコーティングは加熱時に第１の色に変化し、第２のコーティングは加熱時に第１の色とは異なる第２の色に変化するため、基材の表面での直接熱印刷の色が、基材の裏面での直接熱印刷の色とは異なる結果となる。それ故、媒体２０は、文書の表面での直接熱印刷が１つの色であり、文書の裏面での直接熱印刷が別の色である２面直接熱印刷によって印刷された文書を作成するように、展開することができ、それにより、直接熱印刷の色が、印刷される文書の面を指定する。例えば、レシートの表面の直接熱印刷を、レシートの表面を指定する黒とし、レシートの裏面の直接熱印刷を、裏面を指定する赤とすることができる。この両面２色の直接熱印刷は、レシートまたは他の取引文書の裏面に赤で感熱印刷された販売期間または販促材料などの媒体２０の１つの面の印刷に特別に注意を喚起させるために使用することもできる。
【００１９】
上記説明は、より広義の発明のいくつかの特定の実施形態または例を提示するものである。本発明は、本明細書では説明されていない多種多様な他の代替方法でも実施される。本発明の多くの他の実施形態または変形も、添付の特許請求の範囲内で実施することができる。
【図面の簡単な説明】
【００２０】
【図１】取引レシートまたはチケットなどの熱媒体の両面シングルパス印刷に使用可能な両面画像形成ダイレクト・サーマル・プリンタを示す概略図である。
【図２Ａ】表面に取引の詳細が印刷されたレシートを示す図である。
【図２Ｂ】取引時に決定された可変格納情報などの補足情報が裏面に印刷されたレシートを示す図である。
【図３Ａ】レシートの表面に関連する取引の詳細の一部が印刷された２面レシートを示す図である。
【図３Ｂ】関連する取引データの残りの部分が印刷された、図３Ａに示されたレシートの裏面を示す図である。
【図１】
2009517255.tif 000002
【図２Ａ】
2009517255.tif 000003
【図２Ｂ】
2009517255.tif 000004
【図３Ａ】
2009517255.tif 000005
【図３Ｂ】
2009517255.tif 000006
【国際調査報告】
2009517255.tif 000007